(57)【要約】【課題】背面キャビネットに組付けられた機器ユニットが、正面キャビネットを一体化して製品化された後には正面キャビネットの側に移行し、分解点検を有利に実施し、製造移管による製品コストの低減要求に応えることができるテレビジョン装置を提供する。【解決手段】正面キャビネット１に設けた嵌合突起４と、背面キャビネット２に設けた嵌合突起５とを、スピーカユニットのボス部34に設けた嵌合孔36に両側から嵌め込んで固定する構造において、嵌合突起５は、中央の支柱50から放射状に突出する複数の支えリブ51，51…を有し、これらの支えリブ51，51…の先端で嵌合孔36に嵌合する構成とし、嵌合突起４は、支えリブ51，51…と対応する周方向位置にスリット状の欠落部40，40…を設けた円筒形状を有し、欠落部40，40…を除く全周で嵌合孔36に嵌合する構成とする。【選択図】図６
2010278555.tif 000002
【特許請求の範囲】
【請求項１】
画像表示パネルを正面開口からの視認可能に保持する正面キャビネットと、該正面キャビネットの背後に重ね合わせた背面キャビネットとの間に、前記画像表示パネルの周囲に配置されるべき機器ユニットを位置決め固定してあるテレビジョン装置において、
前記正面キャビネット及び背面キャビネットの互いに対向する部位に、他方に向けて夫々突設された嵌合突起と、
前記機器ユニットに設けてあり、前記正面キャビネットと前記背面キャビネットとの間で前記嵌合突起の夫々に嵌合する嵌合孔とを備え、
前記嵌合突起の夫々は、前記嵌合孔に対して異なる嵌合強さを有していることを特徴とするテレビジョン装置。
【請求項２】
前記嵌合突起の一方は、中央の支柱から放射状に突出する複数の支えリブを有し、前記嵌合孔に夫々の支えリブの先端で嵌合する構成としてあり、
前記嵌合突起の他方は、前記支えリブと対応する周方向位置にスリット状の欠落部を設けた円筒形状を有し、前記欠落部を除く全周で前記嵌合孔に嵌合する構成としてある請求項１に記載のテレビジョン装置。
【請求項３】
前記嵌合突起の夫々は、前記嵌合孔に密に嵌合する円筒部を有し、
一方の嵌合突起と他方の嵌合突起とは、前記円筒部の軸方向長さを異ならせてある請求項１に記載のテレビジョン装置。
【請求項４】
前記嵌合孔は、前記機器ユニットに設けた取付け用のボス部のボス孔に嵌着された弾性材料製のブッシュに形成してある請求項１から請求項３のいずれか１つに記載のテレビジョン装置。
【請求項５】
前記嵌合突起の外側を囲繞するように設けてあり、前記ブッシュの外周の一部又は全部に嵌合する補助嵌合突起を備える請求項４に記載のテレビジョン装置。
【請求項６】
前記嵌合突起の夫々は、前記嵌合孔の端部周縁に当接し、前記機器ユニットの軸方向の移動を拘束する位置決めリブを備える請求項１から請求項５のいずれか１つに記載のテレビジョン装置。
【発明の詳細な説明】
【技術分野】
【０００１】
本発明は、正面キャビネットと背面キャビネットとを重ね合わせてなるキャビネットの内部に、画像表示パネルを、周辺機器と共に組み付けて構成されたテレビジョン装置に関する。
【背景技術】
【０００２】
近年、液晶パネル等の画像表示パネルを備える薄形のテレビジョン装置が広く普及している。この種のテレビジョン装置は、正面キャビネットと背面キャビネットとを重ね合わせて構成されたキャビネットの内部に、画像表示パネルと共に、スピーカ機器、チューナ機器等の周辺機器を組み込んで構成されている。
【０００３】
例えば、画像表示パネルとしての液晶パネルの背後にバックライトを配置し、該バックライトの発光を液晶パネルにより変調して画像を表示するように構成された液晶テレビジョン装置は、液晶パネルを正面キャビネットに組み付ける一方、バックライトは、駆動回路と共にユニット化して背面キャビネットに組み付け、両キャビネットを重ね合わせて一体化する手順により製造されている。
【０００４】
また、スピーカ機器、チューナ機器等の周辺機器は、固定用のフランジ部又は座部を含めてユニット化された機器ユニットとして構成し、液晶パネルの周辺の余剰空間に配置して、前記フランジ部又は座部を介して前記正面キャビネット又は背面キャビネットに固定してある（例えば、特許文献１参照）。
【先行技術文献】
【特許文献】
【０００５】
【特許文献１】特開２００８−２９４９２３号公報
【発明の概要】
【発明が解決しようとする課題】
【０００６】
さて、以上の如き液晶テレビジョン装置においては、製品コストの低減を図ることを目的とし、人件費が低廉な途上国に製造を移管することが切望されているが、一方では、基幹部品である液晶パネルの技術流出を防止する必要があって完全な製造移管を実現することは難しい。そこで現状においては、液晶パネルの製造及びモジュール化を国内で実施する一方、周辺機器の製造及び組立てを途上国で実施して、製品コストの低減と、技術流出の防止とを両立させた製造プロセスの実現が進められている。
【０００７】
この製造プロセスを実現するに当たっては、可及的に多くの工程を移管することが望ましく、スピーカ機器、チューナ機器等の周辺機器の機器ユニットの全てを、バックライトユニットと共に背面キャビネットに組み付けできるように構成し、これらの組み付けまでの工程を途上国で実施して、製造された組立て体を国内に移送し、パネルモジュールが組付けられた正面キャビネットと一体化して製品とすることが考えられる。
【０００８】
しかしながら、このように製造される液晶テレビジョン装置においては、例えば、販売後に内部点検を実施すべく、正面キャビネットと背面キャビネットとを分解した場合に、全ての機器ユニットが背面キャビネットの側に残り、これらと正面キャビネットの側のパネルモジュールとの間の配線の始末に手間を要する上、点検後の動作確認の実施にも支障を来すという問題があった。
【０００９】
機器ユニットの一つであるスピーカユニットは、特許文献１に開示されているように、パネルモジュールと共に正面キャビネットに固定されている。この理由の１つは、スピーカユニットが発生する音声出力の送出口が、一般的に正面キャビネットの前面に設けられることであるが、他の理由として、前述した点検時の分解に際し、スピーカユニットが正面キャビネット側に残る方が望ましいことがある。
【００１０】
以上の問題は、液晶テレビジョン装置に限らず、プラズマ表示パネル等、他の画像表示パネルを備えるテレビジョン装置においても全く同様に発生する。
【００１１】
本発明は斯かる事情に鑑みてなされたものであり、背面キャビネットに組付けられた機器ユニットが、正面キャビネットを一体化して製品化された後には正面キャビネットの側に移行し、分解点検を有利に実施することを可能としながら、可及的に多くの工程を途上国に移管して製品コストの低減要求に応えることができるテレビジョン装置を提供することを目的とする。
【課題を解決するための手段】
【００１２】
本発明に係るテレビジョン装置は、画像表示パネルを正面開口からの視認可能に保持する正面キャビネットと、該正面キャビネットの背後に重ね合わせた背面キャビネットとの間に、前記画像表示パネルの周囲に配置されるべき機器ユニットを位置決め固定してあるテレビジョン装置において、前記正面キャビネット及び背面キャビネットの互いに対向する部位に、他方に向けて夫々突設された嵌合突起と、前記機器ユニットに設けてあり、前記正面キャビネットと前記背面キャビネットとの間で前記嵌合突起の夫々に嵌合する嵌合孔とを備え、前記嵌合突起の夫々は、前記嵌合孔に対して異なる嵌合強さを有していることを特徴とする。
【００１３】
本発明においては、正面キャビネットと背面キャビネットとの両方に、他方に向けて嵌合突起を突設し、正面キャビネットと背面キャビネットとの間に配置する機器ユニットには、前記嵌合突起に嵌合可能な嵌合孔を設ける。両キャビネットの嵌合突起は、嵌合部に対して異なる嵌合強さを有しており、例えば、背面キャビネットに設けた嵌合突起に嵌合部を嵌合させて機器ユニットを組み付けた後、正面キャビネットを重ね合わせて一体化するとき、該正面キャビネットに設けた嵌合突起がより強く嵌合部に嵌合する。従って、組立て後に正面キャビネットと背面キャビネットとを分解する際、機器ユニットは、正面キャビネットの側に残る。
【００１４】
また本発明に係るテレビジョン装置は、前記嵌合突起の一方が、中央の支柱から放射状に突出する複数の支えリブを有し、前記嵌合孔に夫々の支えリブの先端で嵌合する構成としてあり、前記嵌合突起の他方が、前記支えリブと対応する周方向位置にスリット状の欠落部を設けた円筒形状を有し、前記欠落部を除く全周で前記嵌合孔に嵌合する構成としてあることを特徴とする。
【００１５】
本発明においては、正面キャビネット側の嵌合突起の嵌合強さと、背面キャビネット側の嵌合突起の嵌合強さとの相違を、嵌合孔に対する周方向の嵌合長さを変える簡素な構成により実現する。
【００１６】
また本発明に係るテレビジョン装置は、前記嵌合突起の夫々が、前記嵌合孔に密に嵌合する円筒部を有し、一方の嵌合突起と他方の嵌合突起とは、前記円筒部の軸方向長さを異ならせてあることを特徴とする。
【００１７】
本発明においては、正面キャビネット側の嵌合突起の嵌合強さと、背面キャビネット側の嵌合突起の嵌合強さとの相違を、嵌合孔に対する軸方向の嵌合長さを変える簡素な構成により実現する。
【００１８】
また本発明に係るテレビジョン装置は、前記嵌合孔が、前記機器ユニットに設けた取付け用のボス部のボス孔に嵌着された弾性材料製のブッシュに形成してあることを特徴とする。
【００１９】
本発明においては、機器ユニットの嵌合孔を、ゴムブッシュ等の弾性材料製のブッシュに形成し、嵌合突起と嵌合孔との間の位置誤差をブッシュの弾性により吸収する。ブッシュは、機器ユニットと、正面又は背面キャビネットとの間の振動の伝播を抑制する機能も果たす。
【００２０】
また本発明に係るテレビジョン装置は、前記嵌合突起の外側を囲繞するように設けてあり、前記ブッシュの外周の一部又は全部に嵌合する補助嵌合突起を備えることを特徴とする。
【００２１】
本発明においては、ブッシュを備える構成において、該ブッシュの外周に補助嵌合突起を嵌合させて、嵌合突起と嵌合孔との嵌合による機器ユニットの固定強度の不足を補う。
【００２２】
また本発明に係るテレビジョン装置は、前記嵌合突起の夫々は、前記嵌合孔の端部周縁に当接し、前記機器ユニットの軸方向の移動を拘束する位置決めリブを備えることを特徴とする。
【００２３】
本発明においては、嵌合突起に嵌合孔の周縁に当接する位置決めリブを設け、機器ユニットを軸方向に位置決めする。
【発明の効果】
【００２４】
本発明に係るテレビジョン装置においては、正面キャビネットに設けた嵌合突起と機器ユニットに設けた嵌合孔の嵌合強さと、背面キャビネットに設けた嵌合突起と機器ユニットに設けた嵌合孔の嵌合強さとが異なっており、背面キャビネットに組み付けた機器ユニットが、背面キャビネットに正面キャビネットを重ね合わせた製品化の後には、嵌合強さの大きい正面キャビネットの側に移行するから、分解点検を有利に実施することを可能としながら、機器ユニットの取付けを含む可及的に多くの工程を途上国に移管して製品コストの低減要求に応えることが可能となる等、本発明は優れた効果を奏する。
【図面の簡単な説明】
【００２５】
【図１】本発明に係るテレビジョン装置が備える正面キャビネットの外観斜視図である。
【図２】本発明に係るテレビジョン装置が備える背面キャビネットの外観斜視図である。
【図３】機器ユニットとしてのスピーカユニットの外観斜視図である。
【図４】正面キャビネットに設けられた嵌合突起の拡大斜視図である。
【図５】背面キャビネットに設けられた嵌合突起の拡大斜視図である。
【図６】スピーカユニットの取付け手順の説明図である。
【図７】図６（ｃ）の VII−VII 線による横断面図である。
【図８】正面キャビネットに設けられる嵌合突起の他の実施の形態を示す拡大斜視図である。
【図９】背面キャビネットに設けられる嵌合突起の他の実施の形態を示す拡大斜視図である。
【図１０】他の実施の形態におけるスピーカユニットの取付け手順の説明図である。
【発明を実施するための形態】
【００２６】
以下本発明をその実施の形態を示す図面に基づいて詳述する。図１は、本発明に係るテレビジョン装置が備える正面キャビネットの外観斜視図、図２は、同じく背面キャビネットの外観斜視図である。
【００２７】
図１、図２に示すように正面キャビネット１及び背面キャビネット２は、矩形の平面形状を有し、浅底皿形に成形された樹脂材料製の部材である。これらの正面キャビネット１及び背面キャビネット２を備えるテレビジョン装置は、例えば、液晶パネルを画像表示パネルとして備える液晶テレビジョン装置である。
【００２８】
図１に示すように正面キャビネット１には、４辺を適幅に余して矩形に開口する表示窓10が開設してある。正面キャビネット１の背面（図１に示された面）には、前記表示窓10の周囲に沿って、複数の位置決め突起11，11…が並設されており、液晶パネルを含むパネルモジュール（図示省略）は、液晶パネルの画像表示面を表示窓10の正面に向け、前記位置決め突起11，11…により４辺を拘束されて正面キャビネット１に固定保持されるようになしてある。
【００２９】
正面キャビネット１の背面は、表示窓10の一辺に沿う部分が広幅としてある。この広幅部分は、液晶テレビジョン装置としての設置時に下位置となる部分であり、種々の周辺機器の配置スペースを提供すべく設けてある。この配置スペースの左右両側は、音声出力のための一対のスピーカユニット３，３（図３参照）の配置に利用されており、夫々の位置に各２つの嵌合突起４，４が、左右に適長離隔して突設されている。
【００３０】
図２に示す背面キャビネット２は、正面キャビネット１と同形であり、該正面キャビネット１よりも深底に成形された皿形状を有している。この背面キャビネット２と前記正面キャビネット１とは、背面キャビネット２の正面（図２に示された面）を正面キャビネット１の背面に重ね、例えば、重ねられた両者の周縁部の複数箇所をねじ止めすることにより一体に接合されるようになしてある。
【００３１】
本発明に係るテレビジョン装置において、以上の如き正面キャビネット１と背面キャビネット２との接合は、正面キャビネット１に液晶パネルを組み込む一方、該液晶パネル以外に必要とする機器ユニットの大部分を背面キャビネット２に組み込み、両者間での配線を実現した後に実施する。背面キャビネット２に組み込まれる機器ユニットは、液晶パネルの背後に配置されるバックライトユニット（図示省略）、音声出力のための一対のスピーカユニット３，３（図３参照）を含む。
【００３２】
バックライトユニットは、背面キャビネット２の底面中央部を広く覆うように固定される。このように固定されたバックライトユニットは、背面キャビネット２を正面キャビネット１に重ね合わせることにより前記液晶パネルの背面全体に対向し、該液晶パネルの全面に均等にバックライトを照射して、液晶パネルの透過により変調された画像を表示窓10の正面に向けた画像表示面に表示させるように作用する。
【００３３】
図２の上下は、図１の上下と対応しており、背面キャビネット２の底面には、左右両側の下部に各２つの嵌合突起５，５が並設してある。これらの嵌合突起５，５は、左右一対のスピーカユニット３，３の夫々を固定すべく、正面キャビネット１に設けた前記嵌合突起４、４と整合する位置に設けてある。
【００３４】
背面キャビネット２の底面には、他の機器ユニットの位置決め用のリブ及び固定用のボスが突設され、また、冷却用の空気の吸気孔20，20…及び排気孔21，21…が開設されている。また、背面キャビネット２の下部縁面には、スピーカユニット３，３が固定される嵌合突起５，５間に位置して、音声出力孔22，22…が開設されている。
【００３５】
図３は、本発明のテレビジョン装置に使用するスピーカユニットの外観斜視図である。図示の如くスピーカユニット３は、スピーカ30と、スピーカ台31とを備えている。スピーカ台31は、一方向に長い直方体の箱体であり、長手方向の中央部には、一面側で長円形に開口する出力口32が開設してある。スピーカ30は、スピーカ台31の他面に、出力口32の形成位置に振動板を臨ませて取付けてある。
【００３６】
スピーカ台31は、スピーカ30の取付け位置から一側に適長離れて設けた端子箱33を備えている。端子箱33の内部には、例えば、電源接続、接地及び信号入力のためのコネクタピン（図示省略）が設けてあり、これらは、適宜のコネクタを介して外部に接続されると共に、スピーカ台31の内側に設けたスピーカ30の駆動回路に接続されている。このように構成されたスピーカユニット３において、スピーカ30は、端子箱33を介してなされる電源の供給、及び信号入力に応じて振動板を振動させて音声を出力し、この音声出力は、出力口32を経て外部に送り出される。
【００３７】
スピーカ台31は、長手方向の両端部に突設された固定用のボス部34，34を備えている。これらのボス部34，34には、夫々を同向きに貫通するボス孔にゴム製のブッシュ35，35が嵌着してあり、これらのブッシュ35，35には、夫々の軸心部を貫通するように嵌合孔36，36が設けてある。なお、嵌合孔36，36の方向は、図３に示すように、スピーカ30の取付け面、及び出力口32の開設面に対して直交する方向としてある。
【００３８】
以上の如く構成されたスピーカユニット３は、正面キャビネット１に突設された嵌合突起４，４及び背面キャビネット２に突設された嵌合突起５，５を、前記ボス部34，34に設けられた嵌合孔36，36に嵌合することにより、正面キャビネット１と背面キャビネット２との間に以下の如く位置決め固定されている。
【００３９】
図４は、正面キャビネット１に設けられた嵌合突起４の拡大斜視図、図５は、背面キャビネット２に設けられた嵌合突起５の拡大斜視図である。
【００４０】
図４に示すように嵌合突起４は、正面キャビネット１の底面に、該底面に対して垂直をなすように立設された円筒形の柱体であり、スピーカユニット３のボス部34，34に夫々設けられた嵌合孔36，36に密に嵌合可能な外径を有している。嵌合突起４は、周方向に略等配をなす複数箇所（図においては４箇所）に、先端部から所定長に亘って軸長方向に延びるスリット状の欠落部40，40…を備えている。また嵌合突起４は、基部近傍の外周に径方向外向きに張り出すように設けた複数（図においては４つ）の位置決めリブ41，41…を備えている。
【００４１】
なお図４においては、欠落部40，40…及び位置決めリブ41，41…の数、及び周方向の配置を同一とし、嵌合突起４の先端部から延びる欠落部40と、嵌合突起４の基部から延びる位置決めリブ41とが連続するように設けられているが、欠落部40，40…及び位置決めリブ41，41…の数並びに配置は、一方又は両方が相違していてもよい。但し、欠落部40，40…及び位置決めリブ41，41…の数は、夫々の作用を確実におこなわせるためには、３つ以上である必要があり、これらは、円筒形の嵌合突起４の周方向に等配をなして設けられているのが望ましい。
【００４２】
一方、背面キャビネット２側の嵌合突起５は、図５に示すように、背面キャビネット２の底面に、該底面と垂直をなすように立設された細径円柱形の支柱50と、該支柱50の外周に径方向外向きに張り出すように設けた各複数（図においては４つ）の支えリブ51，51…及び位置決めリブ52，52…を備えてなる。
【００４３】
支柱50は、正面キャビネット１側の嵌合突起４の内径よりも小さい外径を有している。支えリブ51，51…の個数及び支柱50の周方向の配置は、正面キャビネット１側の嵌合突起４に設けた欠落部40，40…の数及び配置に対応させてある。これらの支えリブ51，51…の張り出し高さは、径方向の先端により形成される円の直径が、スピーカユニット３のボス部34，34に夫々設けられた嵌合孔36，36の内径に対応するように定めてある。また支えリブ51，51…は、前記欠落部40，40…の幅内に受容可能な厚さを有し、支柱50の先端縁から基端に設けて、前記欠落部40，40…と略同長に亘って延設してある。
【００４４】
一方、位置決めリブ52，52…は、支えリブ51，51…よりも大なる張り出し高さを有し、各支えリブ51，51…の夫々に連続して支柱50の基端までの間に設けてある。なお、これらの位置決めリブ51，51…の数及び支柱50の周方向の配置は、適宜に設定することが可能であるが、図示のように、支えリブ51，51…の数及び配置に合わせて設けるのが望ましい。
【００４５】
図６は、スピーカユニット３の取付け手順の説明図である。スピーカユニット３は、図６（ａ）に示すように、ボス部34に嵌着したブッシュ35の嵌合孔36を背面キャビネット２に突設された嵌合突起５に正対させ、該嵌合突起５に前記嵌合孔36を嵌め込むことにより、図６（ｂ）に示すように、背面キャビネット２に仮止めされる。
【００４６】
嵌合突起５は、支えリブ51，51…を備え、これらの支えリブ51，51…は、前述したように、嵌合孔36の内径に対応する張り出し高さを有しており、夫々の支えリブ51，51…の先端は、嵌合孔36の内面に当接し、該嵌合孔36を内側から支える作用をなす。また嵌合孔36の嵌め込みは、該嵌合孔36の周縁が、図６（ｂ）に示すように、支えリブ51，51…よりも外側に張り出す位置決めリブ52，52…に当接する位置で拘束される。従って、前述した仮止めは、支えリブ51，51…により径方向のガタ付きを抑え、位置決めリブ52，52…により軸長方向に位置決めされた状態で安定して維持される。
【００４７】
嵌合孔36を備えるボス部34は、スピーカユニット３の長手方向両端部に夫々設けられ、背面キャビネット２の嵌合突起５は、左右のスピーカユニット３の夫々に対して各２つ設けられており、スピーカユニット３は、長手方向の両端部での前述した仮止めにより、背面キャビネット２上に安定して両持ち支持される。
【００４８】
このようなスピーカユニット３の仮止めは、バックライトユニット等の他の機器ユニットの組付けと共に、人件費が低廉な途上国にて一括して実施することができる。一方、液晶テレビジョン装置の基幹部品である液晶表示パネルは、駆動回路と共にモジュール化して正面キャビネット１に組み付け固定し、スピーカユニット３を含む機器ユニットが組付けられた背面キャビネット２と重ね合わせて一体化し、液晶テレビジョン装置の組立てが完了する。
【００４９】
正面キャビネット１は、背面キャビネット２の嵌合突起５と対向する位置に嵌合突起４を備えており、この嵌合突起４は、背面キャビネット２と重ね合わせる際に、図６（ｂ）に示すように、嵌合突起５に嵌合する嵌合孔36に整合し、該嵌合孔36に嵌め込まれる。嵌合突起４は、嵌合突起５の支えリブ51，51…と同位置にスリット状の欠落部40，40…を備え、また、円筒形をなす嵌合突起４の内径は、嵌合突起５の支柱50の外径よりも大きい。従って、嵌合孔36への嵌合突起４の嵌め込みは、支えリブ51，51…を夫々の欠落部40，40…に受容し、また支柱50を内側に受容することにより、嵌合突起５と干渉することなく実現される。
【００５０】
嵌合突起４の嵌め込みは、図６（ｃ）に示すように、外周に張り出す位置決めリブ41，41…の夫々が嵌合孔36の同側の周縁に当接するまでなされる。これによりスピーカユニット３は、嵌合孔36の内周が嵌合突起４及び嵌合突起５により支えられ、嵌合孔36を備えるブッシュ35が、嵌合突起４，５夫々の位置決めリブ41，52により両側から挾持された状態で正面キャビネット１と背面キャビネット２との間に取付けられる。
【００５１】
嵌合孔36は、ゴム材料製のブッシュ35に設けてあり、嵌合突起４，５の嵌合は、ブッシュ35の変形により多少の位置誤差を許容して確実に実現することができる。また、ゴム材料製のブッシュ35は、音声出力に伴って生じるスピーカユニット３の振動を吸収し、正面キャビネット１及び背面キャビネット２への伝播を防止する作用もなす。
【００５２】
図６（ｃ）に示す組立て完了状態において、図６（ｃ）の VII−VII 線による横断面図である図７に示すように、背面キャビネット２側の嵌合突起５は、支えリブ51，51…の先端にて嵌合孔36に嵌合するのに対し、正面キャビネット１側の嵌合突起４は、欠落部40，40…を除く全周において嵌合孔36に嵌合した状態にあり、嵌合孔36に対する嵌合強さは、嵌合突起４の方が嵌合突起５よりも大きい。従って、組立て完了後、例えば、内部点検のために正面キャビネット１と背面キャビネット２とを分解した場合、スピーカユニット３は、正面キャビネット１の側に残る。これにより、分解点検に際し、正面キャビネットの側のパネルモジュールとの間の配線の始末が不要となり、点検前後の動作確認の実施を確実に実施することができる。
【００５３】
一方、組立てに際してスピーカユニット３は、ボス部34に設けた嵌合孔36を嵌合突起５に嵌め込むことにより。背面キャビネット２の側に取付けることができ、スピーカユニット３を含めた多くの機器ユニットの組み付けを途上国にて実施し、基幹部品となる液晶パネルモジュールの製造、正面キャビネット１への組み付け、及び正面キャビネット１と背面キャビネット２との一体化の工程のみを国内で実施することにより、製品コストの低減と技術流出の防止とを併せて実現することが可能となる。
【００５４】
図８は、正面キャビネット１に設けられる嵌合突起４の他の実施の形態を示す拡大斜視図、図９は、背面キャビネット２に設けられる嵌合突起５の他の実施の形態を示す拡大斜視図である。
【００５５】
図８に示すように嵌合突起４は、正面キャビネット１の底面に、該底面に対して垂直をなすように立設された円筒形の柱体である。嵌合突起４は、基部から先端部に至るまで等径であり、図４に示す係合突起４に設けられた欠落部40，40…を備えておらず、基部近傍の外周に径方向外向きに張り出すように設けた複数（図においては４つ）の位置決めリブ41，41…のみを備えている。
【００５６】
なお、位置決めリブ41，41…の数及び周方向の配置は、図示の形態に限らず適宜に設定することができるが、後述する位置決め作用を確実におこなわせるためには、３つ以上とし、嵌合突起４の周方向に等配をなして設けられているのが望ましい。また嵌合突起４の外径は、スピーカユニット３に設けられた嵌合孔36の内径と略等しく、該嵌合孔36に密に嵌め込み可能としてある。
【００５７】
背面キャビネット２側の嵌合突起５も、図９に示すように、背面キャビネット２の底面に、該底面と垂直をなすように立設された円筒形の柱体であるが、該嵌合突起５の大きさは、先端側と基端側とで相違しており、基端側の大径円筒部53と先端側の小径円筒部54とを備えている。
【００５８】
大径円筒部53の外径は、正面キャビネット１側の嵌合突起４の外径と略等しく、スピーカユニット３に設けられた嵌合孔36に密に嵌め込み可能としてある。一方、小径円筒部54の外径は、前記嵌合突起４の内径よりも小さく、該嵌合突起４の内部に受容可能としてある。また大径円筒部53の外周には、先端側を適長余した範囲に、径方向外向きに張り出すように複数（図においては４つ）の位置決めリブ52，52…が設けてある。
【００５９】
図10は、スピーカユニット３の取付け手順の説明図である。スピーカユニット３は、図10（ａ）に示すように、ボス部34に嵌着したブッシュ35の嵌合孔36を背面キャビネット２に突設された嵌合突起５に正対させ、該嵌合突起５の大径円筒部53に前記嵌合孔36を嵌め込むことにより、図10（ｂ）に示すように、背面キャビネット２に仮止めされる。
【００６０】
嵌合突起５に設けた位置決めリブ52，52…は、嵌合孔36が設けられたブッシュ35の端面に当接し、大径円筒部53への嵌め込み長さを制限する作用をなす。前述した仮止めは、図10（ｂ）に示すように、位置決めリブ52，52…よりも先端側の大径円筒部53に嵌合孔36の一部が嵌め込まれた状態で実現され、スピーカユニット３は、大径円筒部53により径方向のガタつきを抑え、位置決めリブ52，52…により軸長方向に位置決めされた状態で保持される。
【００６１】
なお、大径円筒部53の限られた範囲での嵌め込みにより十分な仮止めがなされない場合には、図10中に２点鎖線により示すように、大径円筒部53の周囲に補助嵌合突起55を設けることができる。補助嵌合突起55は、図示のように、嵌合孔36が設けられたブッシュ35の外周に嵌合し、仮止め強さを増すべく作用する。嵌合突起55は、ブッシュ35の全周に嵌合する円筒形状の突起であってもよく、また、ブッシュ35の外周に部分的に嵌合する突起であってもよい。このような補助嵌合突起55は、正面キャビネット１の側にも設けることができ、また図４〜図６に示す実施の形態においても設けることができる。
【００６２】
正面キャビネット１は、以上の如くスピーカユニット３を仮止めしてある背面キャビネット２と重ね合わされる。このとき、正面キャビネット１に設けられた嵌合突起４は、図10（ｂ）に示すように、嵌合突起５の大径円筒部53に嵌合する嵌合孔36に整合し、該嵌合孔36に嵌め込まれる。同側の嵌合孔36の内部には、嵌合突起５の先端の小径円筒部54との間に形成された隙間が存在しており、嵌合突起４は、この隙間に差し込まれ、嵌合孔36の内面に密に嵌合する。嵌合突起５の小径円筒部54の外径は、嵌合突起４の内径よりも小さく設定してあり、前述した差し込みに際し、嵌合突起４を案内するガイド手段として作用する。
【００６３】
嵌合突起４の嵌め込みは、図10（ｃ）に示すように、基部の外周に張り出す位置決めリブ41，41…の夫々が嵌合孔36の同側の周縁に当接するまでなされる。これによりスピーカユニット３は、嵌合孔36の内周が嵌合突起４と嵌合突起５の大径円筒部53とにより全長に亘って支えられ、嵌合突起４，５夫々の位置決めリブ41，52により両側から挾持された状態で正面キャビネット１と背面キャビネット２との間に取付けられる。
【００６４】
図６（ｃ）の組立て完了状態において、嵌合孔36に対する嵌合突起４の嵌合長さは、嵌合突起５の大径円筒部53の嵌合長さよりも長く、嵌合孔36に対する嵌合強さは、嵌合突起４の方が嵌合突起５よりも大きい。従って、組立て完了後、例えば、内部点検のために正面キャビネット１と背面キャビネット２とを分解した場合、スピーカユニット３は、正面キャビネット１の側に残る。これにより、分解点検に際し、正面キャビネットの側のパネルモジュールとの間の配線の始末が不要となり、点検前後の動作確認の実施を確実に実施することができる。
【００６５】
一方、組立てに際してスピーカユニット３は、ボス部34に設けた嵌合孔36を嵌合突起５の大径円筒部53に嵌め込むことにより。背面キャビネット２の側に取付けることができ、スピーカユニット３を含めた多くの機器ユニットの組み付けを途上国にて実施し、基幹部品となる液晶パネルモジュールの製造、正面キャビネット１への組み付け、及び正面キャビネット１と背面キャビネット２との一体化の工程のみを国内で実施することにより、製品コストの低減と技術流出の防止とを併せて実現することが可能となる。
【００６６】
なお以上の実施の形態は、スピーカユニット３の取付けを対象として述べたが、本発明は、正面キャビネット１と背面キャビネット２との間に配置される種々の機器ユニットの全般に適用可能であることは言うまでもない。
【００６７】
また以上の実施の形態は、液晶パネルを画像表示パネルとして備える液晶テレビジョン装置について述べたが、本発明は、プラズマ表示パネル等、他の画像表示パネルを備えるテレビジョン装置にも適用可能である。
【符号の説明】
【００６８】
１    正面キャビネット
２    背面キャビネット
３    スピーカユニット（機器ユニット）
４    嵌合突起
５    嵌合突起
34    ボス部
35    ブッシュ
36    嵌合孔
40    欠落部
41    位置決めリブ
50    支柱
51    支えリブ
52    位置決めリブ
53    大径円筒部
55    補助嵌合突起
【図１】
2010278555.tif 000003
【図２】
2010278555.tif 000004
【図３】
2010278555.tif 000005
【図４】
2010278555.tif 000006
【図５】
2010278555.tif 000007
【図６】
2010278555.tif 000008
【図７】
2010278555.tif 000009
【図８】
2010278555.tif 000010
【図９】
2010278555.tif 000011
【図１０】
2010278555.tif 000012